(57)【要約】【課題】記録媒体から読み出した圧縮オーディオデータを特殊再生する際に、不連続に読み出したデータが連結された境界データに起因するノイズの発生を完全に回避すること。【解決手段】記録媒体に記録された圧縮オーディオデータを再生する再生装置は、記録媒体から不連続に読み出したデータを連結して特殊再生を行う際に、連結されるデータ間にダミーデータを挿入して再生する。【選択図】図１
2009294603.tif 000002
【特許請求の範囲】
【請求項１】
記録媒体に記録された圧縮オーディオデータを再生する再生装置が、前記記録媒体から不連続に読み出したデータを連結して特殊再生を行う際に、前記連結されるデータ間にダミーデータを挿入して再生することを特徴とするデータ再生方法。
【請求項２】
請求項１に記載のデータ再生方法であって、
前記特殊再生は、早送り再生又は早戻し再生であることを特徴とするデータ再生方法。
【請求項３】
請求項１に記載のデータ再生方法であって、
前記ダミーデータは、前記圧縮オーディオデータの規格における１フレームのサイズ以上のデータサイズを有することを特徴とするデータ再生方法。
【請求項４】
請求項１に記載のデータ再生方法であって、
前記ダミーデータは、任意の文字列を有することを特徴とするデータ再生方法。
【請求項５】
記録媒体に記録された圧縮オーディオデータを読み出すデータ読出部と、
前記記録媒体から不連続に読み出したデータを連結して特殊再生を行う際に、前記連結されるデータ間にダミーデータを挿入して再生するデータ挿入部と、
を備えたことを特徴とするデータ再生装置。
【請求項６】
請求項５に記載のデータ再生装置であって、
前記特殊再生は、早送り再生又は早戻し再生であることを特徴とするデータ再生装置。
【請求項７】
請求項５に記載のデータ再生装置であって、
前記ダミーデータは、前記圧縮オーディオデータの規格における１フレームのサイズ以上のサイズを有することを特徴とするデータ再生装置。
【請求項８】
請求項５に記載のデータ再生装置であって、
前記ダミーデータは、任意の文字列を有することを特徴とするデータ再生装置。
【請求項９】
コンピュータを、請求項５に記載の各部として機能させるためのデータ再生プログラム。
【発明の詳細な説明】
【技術分野】
【０００１】
本発明は、圧縮オーディオデータが記録された記録媒体から不連続にデータを読み出して特殊再生を行うデータ再生方法、データ再生装置及びデータ再生プログラムに関する。
【背景技術】
【０００２】
ＭＰ３（MPEG1 Audio Layer III）フォーマットにより高圧縮したオーディオデータを再生するデータ再生装置の一部は、倍速再生等の特殊再生を行うことができる。図４は、ＭＰ３オーディオデータのデータ構造を示す図である。図４に示すように、ＭＰ３オーディオデータ１は、ＭＰ３オーディオデータ１を構成する単位データとなるフレーム２から構成されている。データ再生装置がＭＰ３オーディオデータを通常再生する場合、データ再生装置は、ＭＰ３オーディオデータ内に存在する全てのフレームを順に再生処理する。
【０００３】
図５は、従来のデータ再生装置がＭＰ３オーディオデータを早送り再生又は早戻し再生（以下「特殊再生」という。）するときの再生データの構成を説明する図である。図５に示すように、データ再生装置がＭＰ３オーディオデータ１を特殊再生する場合、当該データ再生装置は、ＭＰ３オーディオデータ１から一定間隔毎にセクタ単位でデータを抽出し、抽出データ３、抽出データ４、抽出データ５の順に再生することで、特殊再生を行っている。
【０００４】
このような特殊再生を行うと、セクタ単位で抽出されたデータの境界に不連続に連結されるデータが存在することになる。しかし、この不連続に連結されるデータは、分断された不完全なフレームデータであるため、エラーデータと判定され、音声出力されることはない。但し、セクタ単位で抽出されたデータが連結されるとき、フレームの終端及び先端がセクタの境界と偶然一致した場合にはエラーデータとは判定されず、不連続なフレームが再生されてしまう。このため、抽出データの連結境界でノイズが発生してしまう。
【０００５】
図６は、セクタ単位で抽出されたデータが連結された部分でエラーデータと判定されない境界データの一例を示す図である。図６に示すように、フレームＭの終端が抽出データ３の終端に一致し、フレームＮの先頭が抽出データ４の始端に一致すると、フレームＭとフレームＮが連結された境界データ６は完全なフレームデータと認識されるため、データ再生装置は、境界データ６をエラーデータと判定しない。
【０００６】
この問題を解決するために、特許文献１に開示された技術では、抽出データの連結境界にフレームの終端と始端が重ならないよう不連続にデータを取り出すことで、境界データを強制的に不完全なフレームデータとしてエラーを検出し、境界データを再生しない。
【０００７】
【特許文献１】特開２００３−３１７３９１号公報
【発明の開示】
【発明が解決しようとする課題】
【０００８】
しかし、特許文献１の技術によっても、図７（ａ）に示すように境界データ６のデータサイズが１フレームサイズに偶然一致する場合や、図７（ｂ）に示すように境界データ６中にシンクワードと同じパターンのデータ列（擬似シンクワード）が偶然存在していた場合には、本来エラーを検出するはずの境界データ６をエラーと認識することができず、その結果、ノイズが発生してしまう。
【０００９】
本発明の目的は、記録媒体から読み出した圧縮オーディオデータを特殊再生する際に、不連続に読み出したデータが連結された境界データに起因するノイズの発生を完全に回避できるデータ再生方法、データ再生装置及びデータ再生プログラムを提供することである。
【課題を解決するための手段】
【００１０】
本発明は、記録媒体に記録された圧縮オーディオデータを再生する再生装置が、前記記録媒体から不連続に読み出したデータを連結して特殊再生を行う際に、前記連結されるデータ間にダミーデータを挿入して再生するデータ再生方法を提供する。
【００１１】
上記データ再生方法では、前記特殊再生は、早送り再生又は早戻し再生である。
【００１２】
上記データ再生方法では、前記ダミーデータは、前記圧縮オーディオデータの規格における１フレームのサイズ以上のデータサイズを有する。
【００１３】
上記データ再生方法では、前記ダミーデータは、任意の文字列を有する。
【００１４】
本発明は、記録媒体に記録された圧縮オーディオデータを読み出すデータ読出部と、前記記録媒体から不連続に読み出したデータを連結して特殊再生を行う際に、前記連結されるデータ間にダミーデータを挿入して再生するデータ挿入部と、を備えたデータ再生装置を提供する。
【００１５】
上記データ再生装置では、前記特殊再生は、早送り再生又は早戻し再生である。
【００１６】
上記データ再生装置では、前記ダミーデータは、前記圧縮オーディオデータの規格における１フレームのサイズ以上のサイズを有する。
【００１７】
上記データ再生装置では、前記ダミーデータは、任意の文字列を有する。
【００１８】
本発明は、コンピュータを、上記データ再生装置が備える各部として機能させるためのデータ再生プログラムを提供する。
【発明の効果】
【００１９】
本発明に係るデータ再生方法、データ再生装置及びデータ再生プログラムによれば、記録媒体から読み出した圧縮オーディオデータを特殊再生する際に、不連続に読み出したデータが連結された境界データに起因するノイズの発生を完全に回避できる。
【発明を実施するための最良の形態】
【００２０】
以下、本発明の実施形態について、図面を参照して説明する。なお、本実施形態で説明する「特殊再生」とは、倍速再生等の早送り再生、又は早戻し再生である。
【００２１】
図１は、本発明に係る一実施形態のデータ再生装置が特殊再生を行う際の再生データの構成を示す図である。図１に示すように、本実施形態のデータ再生装置がＭＰ３オーディオデータ１を特殊再生する場合、当該データ再生装置は、フレームの集合で構成されるＭＰ３オーディオデータ１から一定間隔毎にセクタ単位でデータを抽出する。図１に示す例では、ＭＰ３オーディオデータ１から、抽出データ３、抽出データ４、抽出データ５の順にデータが抽出されている。さらに、データ再生装置は、抽出したデータの尾部にダミーデータ１０を連結した後、各データを連結して、再生データ１１，１２，１３としている。したがって、本実施形態のデータ再生装置が特殊再生時に再生するデータの境界データにはダミーデータ１０が挿入されている。
【００２２】
図２は、本発明に係る一実施形態のデータ再生装置によって再生されるデータの構成の一例を示す図である。図２に示すように、抽出データ３のフレームＭと抽出データ４のフレームＮを連結する際に、フレームＭにダミーデータ１０を連結することで、フレームＭとダミーデータ１０とフレームＮが連結された境界データ１４が構成される。
【００２３】
ダミーデータ１０は文字列０ｘ００のデータ列であり、データサイズはＭＰ３オーディオの規格上最大となるフレームサイズとしている。ＭＰ３オーディオデータにおけるフレームサイズは、ＭＰＥＧ形式や、ビットレート、サンプリング周波数に基づいて算出することができる。
【００２４】
以下、フレームサイズの計算式を示す。
ＭＰＥＧ１のフレームサイズ＝１４４×ビットレート／サンプリング周波数
ＭＰＥＧ２ＬＳＦのフレームサイズ＝７２×ビットレート／サンプリング周波数
【００２５】
図３は、上述の計算式により算出したＭＰ３規格におけるフレームサイズを示す表である。図３に示すビットレートの単位は[ｂｐｓ]、サンプリング周波数の単位は[Ｈｚ]である。図３より、１４４０バイトがＭＰ３オーディオ規格上の最大フレームサイズであることがわかる。
【００２６】
次に、図１を参照して、本実施形態のデータ再生装置が特殊再生を行う際のデータ再生方法について説明する。データ再生装置が備えるデータ読出部は、光ディスク等の記録媒体に記録されているＭＰ３オーディオデータ１からセクタ単位で抽出データ３を読み出す。次に、データ再生装置が備えるデータ挿入部は、読み出した抽出データ３にダミーデータ１０を連結し、再生データ１１を作成する。その後、データ読出部は、セクタ単位でデータを読み飛ばし、抽出データ４を読み出す。データ挿入部は、抽出データ３と同様に、抽出データ４にダミーデータ１０を連結し、再生データ１２を作成する。データ読出部は、さらにセクタ単位でデータを読み飛ばし、抽出データ５を読み出す。データ挿入部は、抽出データ３，４と同様に、抽出データ５にダミーデータ１０を連結し、再生データ１３を作成する。
【００２７】
このように、データ再生装置は、データ抽出処理、ダミーデータ１０の連結処理及びデータ読み飛ばし処理を順に繰り返す。その結果、再生データ間の境界データにはダミーデータ１０が必ず挿入される。
【００２８】
以上説明したように、本実施形態のデータ再生装置及びデータ再生方法によれば、ＭＰ３オーディオデータを特殊再生する際、規格上最大のデータサイズを有するダミーデータを境界データに挿入するため、境界データのデータサイズが１フレームサイズに一致することはあり得ない。この結果、不連続に連結された境界データをエラーとして検出でき、境界データが再生されることによるノイズの発生を回避できる。したがって、高品位な再生を実現できる。
【００２９】
例えば、抽出データ間に挿入するダミーデータ１０のデータサイズを、ＭＰ３ストリームの規格において最大のフレームサイズとなる１４４０バイトとすると、固定ビットレートや可変ビットレートによらず、規格上の全てのＭＰ３オーディオデータにおいて、特殊再生時にノイズの発生を回避できる。なお、固定ビットレートのＭＰ３オーディオデータを特殊再生する場合には、再生するＭＰ３オーディオデータに応じたフレームサイズを用いても良い。
【００３０】
また、ダミーデータ１０は文字列０ｘ００のデータ列に限らず、ＭＰ３ストリームのフレームに存在するシンクワードに一致しない文字列データであれば任意の文字列データを用いても良い。いずれにしても、不連続に連結された境界データを再生する際に、次フレームのシンクワードの検索において偶然シンクワードを検出してしまうことを回避できる。
【００３１】
なお、本実施形態のデータ再生装置によるデータ再生方法の処理手順はソフトウェアで実現され、コンピュータプログラムとして記録媒体に保存されていても良い。
【産業上の利用可能性】
【００３２】
本発明に係るデータ再生方法、データ再生装置及びデータ再生プログラムは、圧縮オーディオデータを特殊再生する再生装置及び再生方法等として有用である。
【図面の簡単な説明】
【００３３】
【図１】本発明に係る一実施形態のデータ再生装置が特殊再生を行う際の再生データの構成を示す図
【図２】本発明に係る一実施形態のデータ再生装置によって再生されるデータの構成の一例を示す図
【図３】ＭＰ３規格におけるフレームサイズの算出結果を示す表
【図４】ＭＰ３オーディオデータのデータ構造を示す図
【図５】従来のデータ再生装置がＭＰ３オーディオデータを特殊再生するときの再生データの構成を説明する図
【図６】セクタ単位で抽出されたデータが連結された部分でエラーデータと判定されない境界データの一例を示す図
【図７】従来のデータ再生装置による特殊再生時にノイズが発生する境界データの構成を示す図
【符号の説明】
【００３４】
１  ＭＰ３オーディオデータ
２  フレーム
３〜５  抽出データ
６  境界データ
１０  ダミーデータ
１１〜１３  再生データ
１４  境界データ
【図１】
2009294603.tif 000003
【図２】
2009294603.tif 000004
【図３】
2009294603.tif 000005
【図４】
2009294603.tif 000006
【図５】
2009294603.tif 000007
【図６】
2009294603.tif 000008
【図７】
2009294603.tif 000009